(57)【要約】【課題】特に抵抗器に過電流が流れ続けることを防止する定温停電抵抗装置を提供する。【解決手段】両端にそれぞれ開口（１１）を有する絶縁チューブ（１０）と、前記絶縁チューブ（１０）内に設置され、錫合金からなる金属線（２０）と、前記金属線（２０）の両端とそれぞれ接続するように、前記絶縁チューブ（１０）の両端にそれぞれ固定される金属キャップ（３０）とを備えることを特徴とする。【選択図】図２
0003158495.tif 000002
【実用新案登録請求の範囲】
【請求項１】
両端にそれぞれ開口（１１）を有する絶縁チューブ（１０）と、
前記絶縁チューブ（１０）内に設置され、錫合金からなる金属線（２０）と、
前記金属線（２０）の両端とそれぞれ接続するように、前記絶縁チューブ（１０）の両端にそれぞれ固定される金属キャップ（３０）と
を備えることを特徴とする定温停電抵抗装置。
【請求項２】
前記各金属キャップ（３０）の一端から、前記絶縁チューブ（１０）の外径と対応する径を有する嵌合凹部（３２）が凹設され、該絶縁チューブ（１０）の両端はそれぞれ、金属キャップ（３０）における嵌合凹部（３２）に嵌合されることを特徴とする請求項１に記載の定温停電抵抗装置。
【請求項３】
前記各金属キャップ（３０）の他端から端子（３１）が延設されることを特徴とする請求項１または２に記載の定温停電抵抗装置。
【請求項４】
配線を備えると共に、２つの端子を有する抵抗器（４１）と、請求項３に記載の定温停電抵抗装置とが取り付けられる板体（４０１）を有し、
該抵抗器（４１）における一方の端子が板体（４０１）の配線に接続され、抵抗器（４１）における他方の端子が該定温停電抵抗装置における一方の端子に接続され、更に、該定温停電抵抗装置における他方の端子が板体（４０１）の配線に接続されることを特徴とする定温停電抵抗装置を有する回路板。
【考案の詳細な説明】
【技術分野】
【０００１】
本考案は、特に抵抗器に接続され、過電流が流れ続けた時に溶断し、抵抗器の、過電流の発熱による回路板の焼損を防止する抵抗装置に関するものである。
【背景技術】
【０００２】
電子製品の内部には、抵抗器やコンデンサ、チップ等の電子素子を取り付けるための回路板が設けられており、更に、該回路板には、電子素子の機能を果たすために各電子素子を接続するための配線が形成されており、該電子素子内の抵抗器は、電流が流れた時に一定の抵抗値を有するので熱が発生する。
【考案の概要】
【考案が解決しようとする課題】
【０００３】
電力の電流値は通常一定であるが、異常な場合においては、所定電流値を超える過電流が生じることがあり、電子素子内の抵抗器に過電流が流れ続けると、抵抗器が発熱により高温となり、回路板を焼損してしまう恐れがあるので、如何にして抵抗器の過熱を防止するかが当業界の課題となっていた。
【０００４】
そこで、本考案は、抵抗器に直列に接続され、過電流が流れ続けたときに回路をオフにし、抵抗器への過電流の流れを防止する定温停電抵抗装置を提供することを目的とする。
【課題を解決するための手段】
【０００５】
本願の請求項１の考案は、両端にそれぞれ開口（１１）を有する絶縁チューブ（１０）と、前記絶縁チューブ（１０）内に設置され、錫合金からなる金属線（２０）と、前記金属線（２０）の両端とそれぞれ接続するように、前記絶縁チューブ（１０）の両端にそれぞれ固定される金属キャップ（３０）とを備えることを特徴とする定温停電抵抗装置、を提供する。
【０００６】
本願の請求項２の考案は、前記各金属キャップ（３０）の一端から、前記絶縁チューブ（１０）の外径と対応する径を有する嵌合凹部（３２）が凹設され、該絶縁チューブ（１０）の両端はそれぞれ、金属キャップ（３０）における嵌合凹部（３２）に嵌合されることを特徴とする請求項１に記載の定温停電抵抗装置、を提供する。
【０００７】
本願の請求項３の考案は、前記各金属キャップ（３０）の他端から端子（３１）が延設されることを特徴とする請求項１または２に記載の定温停電抵抗装置、を提供する。
【０００８】
本願の請求項４の考案は、配線を備えると共に、２つの端子を有する抵抗器（４１）と、請求項３に記載の定温停電抵抗装置とが取り付けられる板体（４０１）を有し、該抵抗器（４１）における一方の端子が板体（４０１）の配線に接続され、抵抗器（４１）における他方の端子が該定温停電抵抗装置における一方の端子に接続され、更に、該定温停電抵抗装置における他方の端子が板体（４０１）の配線に接続されることを特徴とする定温停電抵抗装置を有する回路板、を提供する。
【考案の効果】
【０００９】
本考案は上記の課題を解決するものであり、使用時には、回路板に取り付けられて抵抗器と隣接するように抵抗器に直列に接続され、これによって、回路板に電流が流れたとき、定温停電抵抗装置の温度が融解点以下であると、電流は定温停電抵抗装置と抵抗器に供給され、一方、過電流が流れ続けた場合には、該過電流により抵抗器が発熱し、その熱が定温停電抵抗装置における金属線に伝導して金属線を溶断し、回路をオフにするので、過電流による抵抗器の発熱で、回路板が焼損してしまうことを防止することができる。
【図面の簡単な説明】
【００１０】
【図１】本考案に係る定温停電抵抗装置の分解斜視図である。
【図２】本考案に係る定温停電抵抗装置の断面図である。
【図３】回路板に本考案に係る定温停電抵抗装置を取り付けた状態を示す使用状態図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る定温停電抵抗装置の分解斜視図であり、図２は本考案に係る定温停電抵抗装置の断面図であり、図３は回路板に本考案に係る定温停電抵抗装置を取り付けた状態を示す使用状態図である。
【００１３】
図１及び図２に示すように、本考案に係る定温停電抵抗装置は、絶縁チューブ（１０）と、金属線（２０）と、２つの金属キャップ（３０）を備え、その内、絶縁チューブ（１０）は、両端に開口（１１）を有するものであり、セラミックからなるのが好ましい。
前記金属線（２０）は、融解点が約２００度である錫合金からなり、前記絶縁チューブ（１０）に設置されるものである。
前記２つの金属キャップ（３０）はそれぞれ、前記金属線（２０）の両端と接続するように、前記絶縁チューブ（１０）の両端に固定される。尚、前記金属線（２０）の端部を金属キャップ（３０）に接続する手段としては、例えば半田付けなどがある。また、本実施例においては、各金属キャップ（３０）の一端から配線または他の電子素子に接続するための端子（３１）が延設されると共に、他端から、絶縁チューブ（１０）の外径と対応する径を有する嵌合凹部（３２）が凹設され、該絶縁チューブ（１０）の両端はそれぞれ、該２つの金属キャップ（３０）における嵌合凹部（３２）に挿嵌される。
【００１４】
図３に示すように、本考案に係る定温停電抵抗装置は、回路板に取り付けられる少なくとも１つの抵抗器（４１）の過熱を防止することができ、例えば、回路板（４０）は配線（図示せず）を有する板体（４０１）を有し、該板体（４０１）に２つの端子（４１１）を有する抵抗器（４１）が取り付けられる場合、該抵抗器（４１）の一方の端子（４１１）が本考案の定温停電抵抗装置における端子（３１）に接続されると共に、他方の端子（４１１）が板体（４０１）の配線または他の電子素子に接続され、本考案の定温停電抵抗装置のもう一方の端子（３１）が板体（４０１）の配線または他の電子素子に接続される。これによって、前記回路板（４０）に電流が流れたとき、定温停電抵抗装置の温度が融解点以下であると、電流は定温停電抵抗装置と抵抗器（４１）に供給され、一方、過電流が流れ続けた場合には、該過電流により抵抗器(４１)が発熱し、その熱が端子（４１１）、端子（３１）及び金属キャップ（３０）を通って金属線(２０)に伝導して金属線（２０）を溶断し、回路をオフにするので、過電流による抵抗器（４１）の発熱で、回路板（４０）を焼損してしまうことを防止することができる。
【符号の説明】
【００１５】
１０        絶縁チューブ
１１        開口
２０        金属線
３０        金属キャップ
３１        端子
３２        嵌合凹部
４０        回路板
４０１      板体
４１        抵抗器
４１１      端子
【図１】
0003158495.tif 000003
【図２】
0003158495.tif 000004
【図３】
0003158495.tif 000005